(57)【要約】【課題】  コンパクト型管球を簡単、確実に交換しうる管球交換器を提供することを目的とする。【解決手段】  折り返された直管部１１と口金１２とがベース１３によって結合されてなるコンパクト型蛍光灯を取付け、取り外すための管球交換器であって、ほぼ円筒状の輪郭を有し、径方向外方に拡開し得るように切り込みが入れられて軸方向に沿って互いに平行に延びる複数の弾性筒壁片２１ａを有し、この弾性筒壁片は、内部に径方向内向きの弾性突起２１ｃを有し、この弾性突起が前記直管部の直管相互間の隙間に嵌り込むように前記直管部を前記弾性筒壁片の内側に収容する管球把持部材２０と、前記管球把持部材を先端で支持し、前記コンパクト型蛍光灯を照明器具に着脱するための操作を行なうポール２３と、をそなえる。【選択図】  図１
0003111089.tif 000002
【実用新案登録請求の範囲】
【請求項１】
折り返された直管部と口金とがベースによって結合されてなるコンパクト型蛍光灯を取付け、取り外すための管球交換器において、
ほぼ円筒状の輪郭を有し、径方向外方に拡開し得るように切り込みが入れられて軸方向に沿って互いに平行に延びる複数の弾性筒壁片を有し、この弾性筒壁片は、内部に径方向内向きの弾性突起を有し、この弾性突起が前記直管部の直管相互間の隙間に嵌り込むように前記直管部を前記弾性筒壁片の内側に把持する管球把持部材と、
前記管球把持部材を先端で支持し、前記コンパクト型蛍光灯を照明器具に着脱するための操作を行なうポールと
をそなえたことを特徴とする管球交換器。
【請求項２】
請求項1記載の管球交換器において、
前記複数の弾性筒壁片は、相互間に切り込みの端部が幅広に形成されていることを特徴とする管球交換器。
【請求項３】
請求項１記載の管球交換器において、
前記弾性突起は、前記弾性筒壁片の先端寄り部分のみに設けられたことを特徴とする管球交換器。
【考案の詳細な説明】
【技術分野】
【０００１】
本考案は、管球交換器に係わり、とくに高所にコンパクト型蛍光灯を装着したり、取り外したりするための交換器に関する。
【背景技術】
【０００２】
照明用の電球は、天井等の高所に設置されることが多く、この結果、電球の交換は、作業者自身を高所まで持ち上げるか、高所まで届く道具を使って行なうことになる。前者は作業時の安全性の点で問題があるから後者に移る傾向にあるが、管球は、直管型から折り返し直管型、スパイラル型等のコンパクト型と呼ばれるもの等、各種存在するから、管球形状に合わせて種々の交換器を用意することになる。
【０００３】
このうち折り返し直管型のコンパクト型蛍光灯用の交換器として、従来、図４に示すものが提供されている。これは、図４(a),(b)に示すように、管球１０の折り返された直管の先端側を把持するように、樹脂製の弾性筒壁片によりほぼ３角柱状の内部空間を形成し、この内部に、図４(c)に示すように、管球１０を収容して着脱操作するものである。
【考案の開示】
【考案が解決しようとする課題】
【０００４】
しかしながら、この構造では、管球全体を把持するものではなく、またガラス製の管球を樹脂製の部材で把持するので滑ることもあり、管球を確実に把持することが難しい場合がある。しかも管球は、ソケット部分は樹脂で形成されており、重みがあるのにソケット部分は把持されていないから、不安定である。
【０００５】
本考案は上述の点を考慮してなされたもので、コンパクト型管球を簡単、確実に交換しうる管球交換器を提供することを目的とする。
【課題を解決するための手段】
【０００６】
上記目的達成のため、本考案では、
折り返された直管部と口金とがベースによって結合されてなるコンパクト型蛍光灯を取付け、取り外すための管球交換器において、
ほぼ円筒状の輪郭を有し、径方向外方に拡開し得るように切り込みが入れられて軸方向に沿って互いに平行に延びる複数の弾性筒壁片を有し、前記弾性筒壁片は、内部に径方向内向きの弾性突起を有し、この弾性突起が前記直管部の直管相互間の隙間に嵌り込むように前記直管部を前記弾性筒壁片の内側に収容する管球把持部材と、
前記管球把持部材を先端で支持し、前記コンパクト型蛍光灯を照明器具に着脱するための操作を行なうポールと
をそなえたことを特徴とする管球交換器、
を提供するものである。
【考案の効果】
【０００７】
本考案は上述のように管球把持部を、内部に内向き突起を持った複数の弾性筒壁片により構成したため、直管折り返し型の管球を簡単、確実に保持することができ、管球の交換作業を簡便にする。
【考案を実施するための最良の形態】
【０００８】
以下、図１ないし図３を参照して本考案の実施形態を説明する。  
【実施形態１】
【０００９】
図１(a)，(b)および(c)は、本考案の実施形態１の適用対象である管球の形状を示す斜視図、本考案の実施形態１の主要部を示す斜視図、および本考案の実施形態１の端面形状を示す図である。
【００１０】
この実施形態１は、図１(a)に示す３つの直管を用いた直管折り返し型蛍光灯１０を交換するための、図１(b)に示す管球把持器２０を持った管球交換器である。管球１０は、３本の直管をＵ字型に折り返したものを、端面形状が３角形になるように配した管球部１１、この管球部１１と口金１２とを結合するベース部１３とからなる。口金１２は、ねじ込み式であるから、管球の着脱には、管球部１１を把持して回転させ、照明器具に装着する必要がある。
【００１１】
そこで、実施形態１は、図１(b)，(c)に示すように構成された管球把持器２０を、接続部２２を介してポール２３に連結した構成としている。接続部２２とポール２３とは、ポール２３に設けられたロックピン２３ａが接続部２２のピン穴２２ａに係合することにより連結される。
【００１２】
この管球把持器２０は、取り扱う管球の把持すべき部分、つまり管球部１１が端面３角形であるから、円筒状の樹脂に切り込みを入れて形成した弾性筒壁片２１ａは３枚とする。
【００１３】
これら弾性筒壁片２１ａは、相互間に切り込み２１ｂが設けられており、この切り込み２１ｂは端部が幅広に形成されている。そして、切り込み２１ｂの切り込み深さを調節することにより、弾性筒壁片２１ａによる管球の保持力を加減して管球の破損を防止することができる。弾性筒壁片２１ａは、内壁の先端寄りに弾性突起２１ｃが設けられる。弾性突起２１ｃは、表面が適度に滑りかつ弾性を持った樹脂材料製とする。
【００１４】
この弾性突起２１ｃは、図１(c)に示すように、管球１０の管球部１１を構成する３本の管球相互間の隙間に嵌り込むように配されることにより、把持部１１が弾性筒壁片２１ａによって確実に保持される。
【００１５】
この構成により、実施形態１である管球交換器は、管球を確実に保持する。すなわち、弾性筒壁片２１ａが管球１１の外周面に密着し、弾性突起２１ｃが管球１１の相互間にある隙間に嵌合する。しかも管球１１を把持させる際には、弾性筒壁片２１ａが相互に拡開するし、切り込み２１ｂが端部で幅広になっていて管球１１を良好にガイドする。
【００１６】
そして、ポール２３を、軸方向を中心にして回転させることにより、管球１０を回転させて口金１２を照明器具から外したり、照明器具にねじ込んだりすることができる。
【実施形態２】
【００１７】
図２(a)，(b)，(c)は、本考案の実施形態２の適用対象である管球の形状を示す斜視図、本考案の実施形態２の主要部を示す斜視図、および本考案の実施形態２の端面形状を示す図である。
【００１８】
この実施形態２は、図２(a)に示す４つの直管を用いた直管折り返し型蛍光灯１０を交換するための、図２(b)に示す管球把持器２０を持った管球交換器である。管球１０は、４本の直管をＵ字型に折り返したものを、端面形状が４角形になるように配した管球部１１、この管球部１１と口金１２とを結合するベース部１３とからなる。口金１２は、ねじ込み式であるから、管球の着脱には、管球部１１を把持して回転させ、照明器具に装着する必要がある。
【００１９】
管球把持器２０が端面形状４角形である点を除けば、実施形態２は、実施形態１と同様に構成することができる。そして、使い勝手も実施形態１と基本的に同様である。
【００２０】
図３は、ポール２３の全体構造を示したものである。ポール２３は、先端に管球把持器２０を取り付けるためのベース２３ｂを有し、このベース２３ｂにバネにより押し出し付勢されたロックピン２３ａが設けられている。
【００２１】
ベース２３ｂは、ロックリング付きの伸縮式ポール２３ｃに対して蛇腹式クッションゴム２３ｄを介して取り付けられている。蛇腹式クッションゴム２３ｄは、適度の硬さ、厚さを持ったゴムを蛇腹状に中空構造に成形したものであり、これにより伸縮式ポール２３ｃを縮めて管球を下げてきたときの管球に対する衝撃緩和作用をする。伸縮式ポール２３ｃの下端には、底ゴム２３ｅが設けられており、ポール２３を回転操作等する際に滑らないように配慮されている。
【図面の簡単な説明】
【００２２】
【図１】図１(a)，(b)および(c)は、本考案の実施形態１の適用対象である管球の形状を示す斜視図、本考案の実施形態１の主要部を示す斜視図、および本考案の実施形態１の端面形状を示す図。
【図２】図２(a)，(b)および(c)は、本考案の実施形態２の適用対象である管球の形状を示す斜視図、本考案の実施形態２の主要部を示す斜視図、および本考案の実施形態２の端面形状を示す図。
【図３】図３は、ポール２３の全体構造を示した図。
【図４】図４(a)，(b)，(c)は、従来の折り返し直管型のコンパクト型蛍光灯および同管球用の交換器を示す、外観図ならびに端面図。
【符号の説明】
【００２３】
１０  管球、１１  管球部、１２  ベース部、１３  口金、
２０  管球把持器、２１  把持部、２１ａ  弾性筒壁片、２１ｂ  切り込み、
２１ｃ  弾性突起、２２  接続部、２２ａ  ピン穴、２３  ポール、
２３ａ  ロックピン、２３ｂ  ベース、２３ｃ  伸縮式ポール、
２３ｄ  クッションゴム、２３ｅ  底ゴム。
【図１】
0003111089.tif 000003
【図２】
0003111089.tif 000004
【図３】
0003111089.tif 000005
【図４】
0003111089.tif 000006